(57)【要約】【課題】表示部を常に注視することなく診療情報を確認できるため、診療に専念することができる診療装置の提供を目的とする。【解決手段】駆動スイッチ３ａや切削工具２に作用する負荷トルクを表示する駆動トルク画面２０と、該駆動トルク画面２０の表示態様を制御する表示プログラム及び点灯管理プログラムと実行制御する制御回路６を備えた歯科用ハンドピース１において、駆動スイッチ３ａや切削工具２に作用する負荷トルクの変化に基づいて、ＬＣＤ１０ａによる表示色及び点灯パターンを変化させた。【選択図】図３
2011135950.tif 000002
【特許請求の範囲】
【請求項１】
診療に関する情報を表示する表示部と、該表示部の表示態様を制御する表示制御部とを備えた表示手段及び診療手段を有する診療装置において、
前記表示制御部に、
前記診療に関する情報の変化に基づいて、前記表示部に表示する表示色及び点灯パターンの少なくとも一方を変化する表示態様変化手段を備えた
診療装置。
【請求項２】
前記表示態様変化手段を、
予め設定された段階に応じて、前記表示色及び前記点灯パターンの少なくとも一方を段階的に変化する構成とした
請求項１に記載の診療装置。
【請求項３】
前記表示態様変化手段を、
前記診療に関する情報の変化に基づいて、前記表示色及び前記点灯パターンの少なくとも一方の変化に加えて、前記表示部に表示する表示内容を変化する
請求項１又は２に記載の診療装置。
【請求項４】
前記表示部を、バックライトを備えた液晶ディスプレイで構成し、
前記表示態様変化手段が、
前記バックライトが発光する発光色及び前記バックライトによる点灯パターンの少なくとも一方を変化する
請求項１乃至３のいずれかに記載の診療装置。
【請求項５】
前記表示制御部に、
前記表示態様変化手段による前記表示色及び前記点灯パターンの少なくとも一方の変化を停止する変化停止手段を備えた
請求項１乃至４のいずれかに記載の診療装置。
【請求項６】
前記診療に関する情報が、
電気的根管長測定による測定データ、歯周ポケットの深さ測定データ、切削治療用マイクロモータの回転数、切削工具にかかる負荷、光照射器の動作時間や残り動作時間、診療装置の電池残量、診療装置の動作モード、診療装置の設定モードのうち少なくともいずれか１つの情報である
請求項１乃至５のいずれかに記載の診療装置。
【請求項７】
音響又は音声によって前記診療に関する情報の変化を報知する聴覚的報知手段を備えた
請求項１乃至６のいずれかに記載の診療装置。
【請求項８】
診療装置本体を、充電池を内蔵したコードレス機器で構成し、
前記診療装置本体に、前記表示手段を搭載した
請求項１乃至７のいずれかに記載の診療装置。
【発明の詳細な説明】
【技術分野】
【０００１】
この発明は、例えば、歯科診療等における診療に関する情報を表示する表示手段を備えた診療装置に関する。
【背景技術】
【０００２】
従来から、例えば、歯科診療等に用いる診療装置において、診断や治療に関する情報を視覚的に表示する表示手段を備えた診療装置が様々提案されている。  
例えば、特許文献１に記載の診療装置（歯科用診療装置）は、根管長測定機能を備えるとともに、切削工具駆動用モータ及び表示部を有するハンドピースを備えた根管治療装置であり、根管内部における切削工具の位置に応じて、根管長測定の結果を色の異なる複数のＬＥＤを表示ドットとして点灯消灯の切り替えにより表示するものである。
【０００３】
また、異なる分野における電子機器であるものの、合成樹脂を成形する際の温度管理を行うための温度調節器などに用いる表示手段において、計測にともなう現在値を数値表示する表示部を、現在値と設定値との偏差に応じて、バックライトの色が変わるように構成しているものが提案されている（特許文献２参照）。
【０００４】
上記特許文献１に記載の診療装置（歯科用診療装置）は、表示態様が単純であるため、限られた診療情報しか表示できなかった。したがって、例えば、術者は、限られた診療情報から、重要な情報を抽出する必要があるため、表示部を常に集中して視認する必要があり、視線の移動なしに診療に専念することが困難であるといった問題があった。
【０００５】
また、特許文献２に記載の電子機器を上記診療装置に転用したとしても、診療情報として、動作中の情報である偏差によってのみ表示色が変化するため、測定値が設定偏差外になったかどうかの判断はできるが、あとどの程度で設定偏差を超えるかなどの診療における十分な判断を表示色の変化からすることはできなかった。したがって、例えば、術者は、表示部を常に注視する必要があり、視線の移動なしに診療に専念することが困難であるといった問題が考えられる。
【先行技術文献】
【特許文献】
【０００６】
【特許文献１】特開平０８−０３８５１０号公報
【特許文献２】特開平０５−０１１７１２号公報
【発明の概要】
【発明が解決しようとする課題】
【０００７】
そこでこの発明は、表示部を常に注視することなく診療情報を確認できるため、診療に専念することができる診療装置の提供を目的とする。
【課題を解決するための手段】
【０００８】
本発明は、診療に関する情報を表示する表示部と、該表示部の表示態様を制御する表示制御部とを備えた表示手段及び診療手段を有する診療装置において、前記表示制御部に、前記診療に関する情報の変化に基づいて、前記表示部に表示する表示色及び点灯パターンの少なくとも一方を変化する表示態様変化手段を備えたことを特徴とする。なお、ここでいう表示色とは、表示部に表示される個々の文字やイラストの色というより、むしろ表示画面全体の色、画面そのものの基本色を指すものである。
【０００９】
上記診療に関する情報は、診断情報、治療情報或いは治療状態情報とすることができる。詳述すると、診断情報は、患者を計測対象として得られた根管長、体温、心拍数などの診断結果に関する情報である。治療情報は、例えば切削治療用マイクロモータの回転数、切削工具にかかる負荷、光照射器の動作時間や残り動作時間、或いは診療装置の電池残量等の診療装置を計測対象として得られた治療状態に関する情報である。さらに、治療状態情報は、各診療装置における自動逆転モード、根管長測定単独モード、モータ非動作モード、治療開始当初から逆転するモードなどの動作モードや、基準負荷設定状態、基準位置設定状態、或いは回転数設定状態などの設定モード等の治療装置の状態に関する情報とすることができる。
【００１０】
上記表示手段は、液晶ディスプレイ、CRTディスプレイ、プラズマディスプレイ及び有機ELディスプレイ等とすることができる。  
上記診療手段は、診療椅子等の診療台、CT撮影やパノラマ撮影を行うＸ線撮影装置、空気圧やモータで駆動するハンドピース、空気圧で駆動するエアスケーラー、超音波振動子の振動で駆動する超音波スケーラー、治療用レーザ発生器に接続されるレーザハンドピース、レーザハンドピースの先端に接続されるレーザ照射チップ、光重合用の可視光線照射装置、あるいは口腔内カメラ等の撮像装置とすることができる。
【００１１】
この発明により、術者は診断内容や治療状態の概略を一目で把握できるため、より安全に診療することができる。  
詳述すると、診療に関する情報、例えば切削工具にかかる負荷を表示する表示手段において、負荷の大きさに応じて表示部全体の表示色又は点灯パターンを変化させることで、視線を患部から表示部へ移動させることなく、どの程度の負荷がかかっているのか等を大まかに判断することができる。またバックライトを備えた液晶表示であればバックライト光源の波長、即ち色を変更することにより同等の効果を持たすことができる。
【００１２】
また、診療中は、患者の診療部位を注視することが多いものの、表示部全体の表示色又は点灯パターンが変化することにより、視野の隅に表示部があれば、術者は診療状態を大まかに判断することができる。
【００１３】
さらにまた、診療装置の動作モードや設定モードの変化を、表示部における表示色の変化で表示する場合、今、どの動作モードが選択されているのか（例えば、自動逆転モード、根管長測定単独モード（モータ非動作モード）、治療開始当初から逆転するモード等）、現在の設定内容が一目で分かるため、誤操作を防止することができる。したがって、術者は診断内容や治療状態の概略を一目で把握でき、より安全に診療することができる。
【００１４】
この発明の態様として、前記表示態様変化手段を、予め設定された段階に応じて、前記表示色及び前記点灯パターンの少なくとも一方を段階的に変化する構成とすることができる。
【００１５】
この発明により、術者は、表示部を常に注視せずとも、診療の程度を概略把握することができ、治療する患部から表示部に視線を大きく移動させる必要がないので、より安全に診療することができる。詳しくは、表示部全体の表示色及び点灯パターンの少なくとも一方が診療情報に応じて段階的に変化するため、診療状態の程度を、表示部を常に注視せずとも、術者は診療状態を大まかに判断することができる。したがって、視線を患部から表示部へ移動させることなく、診療状態を大まかに判断しながら確実な診療を行うことができる。
【００１６】
また、この発明の態様として、前記表示態様変化手段を、前記診療に関する情報の変化に基づいて、前記表示色及び前記点灯パターンの少なくとも一方の変化に加えて、前記表示部に表示する表示内容を変化させるものとすることができる。
【００１７】
上記表示内容は、診断内容や治療状態についての詳細な情報に関して表示する内容であり、より具体的には、診断内容や治療状態を数値化し、その数値のデジタル数値や、数値化したものを個数化した点灯ドットの個数、あるいは文字情報やイラスト等として表示する内容とすることができる。
【００１８】
この発明により、術者はより安全に診療することができる。具体的には、表示部における表示色の変化や点灯パターンの変化により、およその診療状態を判断した術者がさらに詳細な診療情報が必要だと判断した場合に、視線を表示部に移して、診断内容や治療状態について、数値化したデジタル数値等の表示内容を確認することができる。したがって、必要に応じて詳細な情報を取得でき、それ以外の状態では、視線を表示部へ移動させることなく大まかな判断をしながら診療することができる。
【００１９】
また、この発明の態様として、前記表示部を、バックライトを備えた液晶ディスプレイで構成し、前記表示態様変化手段が、前記バックライトが発光する発光色及び前記バックライトによる点灯パターンの少なくとも一方を変化するものとすることができる。
【００２０】
この発明により、コンパクト且つ容易な構成で、表示部全体の表示色や点灯パターンを変化させることができる。したがって、表示部の表示態様を変化させるためのコスト増加を抑制することができるとともに、小型の診療装置に装着することができる。
【００２１】
また、この発明の態様として、前記表示制御部に、前記表示態様変化手段による前記表示色及び前記点灯パターンの少なくとも一方の変化を停止する変化停止手段を備えることができる。
【００２２】
この発明により、術者や患者等の利用者の嗜好に応じて表示態様の変化させることができる。詳しくは、例えば、表示部の点灯パターンを変化させることを術者や患者等の利用者が好まない場合、診療情報に応じた表示部の点灯パターンの変化を停止し、表示部全体の表示色だけを変化させて診療情報の変化を表示することができる。したがって、表示部の表示態様変化を利用者の嗜好に合せることで、利用者の満足度を向上することができる。
【００２３】
また、この発明の態様として、前記診療に関する情報が、電気的根管長測定による測定データ、歯周ポケットの深さ測定データ、切削治療用マイクロモータの回転数、切削工具にかかる負荷、光照射器の動作時間や残り動作時間、診療装置の電池残量、診療装置の動作モード、診療装置の設定モードのうち少なくともいずれか１つの情報であることができる。
【００２４】
この発明により、より正確な診療を行うことができる。詳しくは、診断情報である電気的根管長測定による測定データ及び歯周ポケットの深さ測定データ、治療情報である切削治療用マイクロモータの回転数、切削工具にかかる負荷、光照射器の動作時間や残り動作時間、及び診療装置の電池残量、並びに治療状態情報である診療装置の動作モード、診療装置の設定モードの変化を、表示部全体の表示色や点灯パターンを変化させて表示させることができるため、術者は表示部を常に注視することなく、上記診療に関する情報を大まかに判断することができる。
【００２５】
また、この発明の態様として、音響又は音声によって前記診療に関する情報の変化を報知する聴覚的報知手段を備えることができる。  
この発明により、より安全且つ正確な診療を行うことができる。詳しくは、例えば、視線が患部に集中し、視界の隅に配置していた診療装置の表示部全体の表示色や点灯パターンの変化に気づかない場合であっても、視線に依存しない聴覚に対して、診療情報の変化を報知することができ、確実に診療情報の変化を術者に認識させることができる。したがって、患部への視線が集中し、表示部の表示色や点灯パターンの変化を見落としやすい術者であっても、確実に診療情報の変化を認識して、安全且つ正確な診療を行うことができる。
【００２６】
また、この発明の態様として、診療装置本体を、充電池を内蔵したコードレス機器で構成し、前記診療装置本体に、前記表示手段を搭載することができる。  
この発明により、より確実に診療情報の変化を認識して、さらに安全且つ正確な診療を行うことができる。
【００２７】
詳しくは、診療装置本体に表示部を有する表示手段を搭載しているため、例えば、診療装置本体から離れた場所に表示手段が配置された診療装置の場合と比較して、表示部の変化を確実に認識できるとともに、表示部を目視する際の視線の移動距離を少なくすることができる。したがって、患部と表示部との間の視線の移動をすばやくでき、より確実に診療情報の変化を認識して、さらに安全且つ正確な診療を行うことができる。
【発明の効果】
【００２８】
本発明により、表示部を常に注視することなく診療情報を確認できるため、診療に専念できる診療装置を提供することができる。
【図面の簡単な説明】
【００２９】
【図１】歯科用ハンドピースの斜視図。
【図２】歯科用ハンドピースのブロック図。
【図３】歯科用ハンドピースの液晶表示部の表示態様の変化についての説明図。
【図４】歯科用ハンドピースの液晶表示部の設定モードにおける表示態様の変化についての説明図。
【図５】根管長測定器の斜視図。
【図６】根管長測定器のブロック図。
【図７】根管長測定器の液晶表示部の表示態様の変化についての説明図。
【発明を実施するための形態】
【００３０】
この発明の一実施形態を以下図面と共に説明する。  
【実施例１】
【００３１】
コードレス根管拡大形成器である歯科用ハンドピース１の液晶表示部１０の表示態様の変化について、図１〜３とともに説明する。  
図１は歯科用ハンドピース１の斜視図を示し、図２は歯科用ハンドピース１のブロック図を示し、図３は歯科用ハンドピース１の液晶表示部１０の表示態様の変化についての説明図を示している。
【００３２】
歯科用ハンドピース１は、先端に切削工具２を交換可能に装着するとともに、中間部に駆動スイッチ３ａを有するモータ駆動操作部３と、液晶表示部１０及び設定操作ボタン４（４ａ，４ｂ，４ｃ）を有するハンドピース本体５とを接続して構成している。
【００３３】
さらに詳しくは、モータ駆動操作部３には、上述したように駆動スイッチ３ａを有するとともに、モータ３ｂと、モータ３ｂを駆動するためのモータ駆動装置３ｃとを内蔵している。なお、モータ３ｂとモータ駆動装置３ｃとは接続され、駆動スイッチ３ａとモータ駆動装置３ｃとは、後述する制御回路６に接続されている。そして、モータ３ｂは、切削工具２を回転させるため、その駆動力を切削工具２まで伝達するよう、歯車や回転軸等の機構を介して切削工具２に接続されている。
【００３４】
また、液晶表示部１０及び設定操作ボタン４を有するハンドピース本体５は、図２に示すように、制御回路６、バッテリ７、ブザー８及びＯＮ／ＯＦＦスイッチ９を内蔵している。なお、上述のモータ駆動装置３ｃ、設定操作ボタン４、バッテリ７、ブザー８、ＯＮ／ＯＦＦスイッチ９及び液晶表示部１０は、制御回路６に接続され、制御回路６の制御によって作動する構成である。
【００３５】
なお、モータ駆動装置３ｃは制御回路６に接続され、押圧式のスイッチである駆動スイッチ３ａが押下されることで、制御回路６を介して、モータ３ｂが作動し、切削工具２が回転する構成である。
【００３６】
設定操作ボタン４は、設定画面において選択項目を選択するための選択ボタン４ａ，４ｂと、選択ボタン４ａ，４ｂによる選択を決定するための決定ボタン４ｃとで構成している。
【００３７】
バッテリ７は、蓄電池で構成するバッテリであり、充電可能、且つ交換可能に構成している。なお、歯科用ハンドピース１を駆動させるための電源として、乾電池を用いてもよい。
【００３８】
ブザー８は、制御回路６の制御に基づいて、所望の音程や所定の出力テンポでアラーム音を鳴らすブザーであるが、これに限定されず、バイブレータを駆動させた場合の振動音をアラーム音の代替として用いてもよい。  
ＯＮ／ＯＦＦスイッチ９は、手動操作または所定時間の経過によって、歯科用ハンドピース１の電源のＯＮ／ＯＦＦを切替える切り替えスイッチである。
【００３９】
液晶表示部１０は、液晶モニタディスプレイ（以下において、「ＬＣＤ」（Liquid Crystal Display）とする）１０ａと、ＬＣＤ１０ａの背面側で照明のために発光するバックライト１０ｂとで構成している。なお、バックライト１０ｂは、後述する表１に示すように、赤色ＬＥＤ、青色ＬＥＤ及び緑色ＬＥＤの可視光線を発光する３色の発光体で構成し、後述の表示プログラムによる発光制御によってそれぞれのＯＮ／ＯＦＦを切替えて、所望の表示色による所望の点灯パターンで発光できるように構成している。
【００４０】
制御回路６は、ＣＰＵとＲＯＭとＲＡＭで構成される制御回路であり、歯科用ハンドピース１を用いた診療に必要な各種プログラムと、歯科用ハンドピース１を用いた診療に必要な各種データを格納している。  
例えば、制御回路６には、表示プログラム、モータ駆動制御プログラム、駆動状態検出プログラム、設定プログラム、バッテリ残量検出プログラム、治療情報取得プログラム、ブザー制御プログラム或いは、点灯管理プログラムなどを格納している。
【００４１】
詳しくは、上記表示プログラムは、液晶表示部１０のバックライト１０ｂの点灯状態を制御する制御プログラムであり、駆動状態検出プログラムによって検出されたモータの回転数やモータにかかる負荷トルクといった駆動状態、バッテリ残量検出プログラムによって検出されたバッテリ残量、設定操作ボタン４による設定状態等に応じて、上記点灯管理プログラムで管理する表示態様に応じた表示色や点灯パターンを表示制御するプログラムである。
【００４２】
また、上記モータ駆動制御プログラムは、駆動スイッチ３ａによりモータ３ｂを作動させるためにモータ駆動装置３ｃを制御するプログラムであり、駆動スイッチ３ａによってモータ３ｂを駆動させる駆動制御のみならず、駆動状態検出プログラムによって検出された駆動状態のうちモータ３ｂの駆動負荷（負荷トルク）に基づき、モータ３ｂの駆動力（駆動トルク）を低減する駆動力低減制御や、駆動方向（回転方向）を逆転する駆動方向逆転制御、あるいは駆動を停止する駆動停止制御を実行することができる。
【００４３】
さらに、上記駆動状態検出プログラムはモータ３ｂの駆動負荷（負荷トルク）等の駆動状態を検出するプログラムであり、上記設定プログラムは設定操作ボタン４によって設定された設定を反映させるためのプログラムであり、上記バッテリ残量検出プログラムはバッテリ７のバッテリ残量を検出するプログラムである。
【００４４】
さらにまた、上記治療情報取得プログラムは切削工具２の治療時間や治療時の駆動負荷（負荷トルク）等の治療情報を取得するプログラムであり、上記ブザー制御プログラムはブザー８を制御するプログラムであり、上記点灯管理プログラムは測定値、治療状態あるいは設定状態に応じた表示態様、具体的にはバックライト１０ｂの点灯制御を関連付けて管理するプログラムである。
【００４５】
さらにまた、歯科用ハンドピース１を用いた診療に必要な各種データとして、切削工具２を使用して治療した治療時間や、予め設定された基準切削負荷値や、診断のための測定データ等を制御回路６に格納している。
【００４６】
このように構成した歯科用ハンドピース１において、歯科用ハンドピース１を用いた治療中の切削工具２の駆動負荷（負荷トルク）に応じて液晶表示部１０の表示態様を変化させる表示変化について説明する。
【００４７】
歯科用ハンドピース１を用いた治療中において、液晶表示部１０には、図３（ａ）に示すように、切削工具２を回転駆動させるための駆動力、即ち駆動トルクを表示するトルク画面２０を表示している。  
詳しくは、駆動トルク画面２０は、液晶表示部１０の上部に配置し、表示内容が駆動トルクであることを示す「ＴＯＲＱＵＥ」文字表示部２１と、「ＴＯＲＱＵＥ」文字表示部２１の下方で駆動トルク値をバー表示するバーグラフ部２２とで構成している。
【００４８】
なお、駆動トルクは、モータ３ｂ、または、モータ３ｂによって回転駆動する切削工具２に作用する負荷である負荷トルクに対応して駆動するトルクであり、駆動トルクと負荷トルクとは、本明細書において同義語である。
【００４９】
バーグラフ部２２は、正面視左側のバー目盛り２２ａと、該バー目盛り２２ａの右側で測定値の大小に応じて高さが変化する測定バー２２ｂと、測定バー２２ｂにおいて予め設定した基準トルクバー２２ｃとを表示している。
【００５０】
そして、歯科用ハンドピース１は、負荷トルク（駆動負荷）について駆動状態検出プログラムで検出した状態、即ちモータ３ｂや切削工具２に作用する負荷トルク値を、測定バー２２ｂの高さで表示するとともに、負荷トルクの状態に応じてバックライト１０ｂによる液晶表示部１０の全体的な表示色や点灯パターンが変化するよう構成している。さらには、負荷トルクの状態に応じてブザー８によってアラーム音を出力するよう構成している。
【００５１】
これにより、歯科用ハンドピース１は、測定バー２２ｂで、負荷トルクの詳細な変化を表示し、またバックライト１０ｂによる液晶表示部１０の全体的な表示色や点灯パターン、及びブザー８によるアラーム音の出力テンポの変化によって大まかな負荷トルクの変化を報知することとなる。
【００５２】
具体的には、負荷トルクについて「２．０」（単位：Ｎ・ｃｍ）までを負荷トルクの低い範囲とし、「２．０」から「４．０」までの範囲を負荷トルクのやや高い範囲とし、「４．０」以上の範囲を負荷トルクの高い範囲として制御回路６に予め格納する。さらには、負荷トルク「２．５」を予め設定する基準負荷トルクとして制御回路６に格納する。なお、上記数値は、あくまでも一例に過ぎず、この数値に限定されるものではなく、適宜設定すればよい。
【００５３】
そして、制御回路６は、上記表示プログラム及び点灯管理プログラムによって、負荷トルクが「２．０」以下の負荷トルクの低い範囲ではバックライト１０ｂを、以下の表１に示すように、赤色ＬＥＤ、青色ＬＥＤ及び緑色ＬＥＤの発光体のＯＮ／ＯＦＦを切替えて、水色（赤色ＬＥＤ：ＯＦＦ、青色ＬＥＤ及び緑色ＬＥＤ：ＯＮ）のゆっくりした点滅表示させるとともに、ブザー８をゆっくりしたテンポで出力する制御を実行する（図２（ｂ）参照）。  
なお、図３は、白黒でしか図示できないため、バックライト１０ｂによる液晶表示部１０の全体的な表示色の変化をハッチング密度で図示している。
【００５４】
【表１】
2011135950.tif 000003
負荷トルクが「２．０」から「４．０」までの負荷トルクのやや高い範囲ではバックライト１０ｂを緑色（赤色ＬＥＤ及び青色ＬＥＤ：ＯＦＦ、緑色ＬＥＤ：ＯＮ）の比較的速い点滅表示させるとともに（図２（ｃ））、ブザー８を負荷トルクの低い範囲でのテンポより速めた普通のテンポで出力する制御を実行する。
【００５５】
さらには、負荷トルクが「４．０」以上の負荷トルクの高い範囲ではバックライト１０ｂを紫色（赤色ＬＥＤ及び青色ＬＥＤ：ＯＮ、緑色ＬＥＤ：ＯＦＦ）の連続点灯表示するとともに（図２（ｄ））、ブザー８を負荷トルクのやや高い範囲でのテンポよりさらに速めた早いテンポで出力する制御を実行する。
【００５６】
さらにまた、予め設定された基準負荷トルク値を越えると、その基準負荷トルク値が属する範囲におけるバックライト１０ｂによる液晶表示部１０の全体的な表示色及び点灯パターンを変化させるとともに、ブザー８の出力テンポを変化させることができる。なお、基準トルクバー２２ｃに示すように、「２．５」に設定した場合、負荷トルクが「２．０」から「４．０」までの負荷のやや高い範囲におけるバックライト１０ｂの緑色の比較的速い点滅表示を、基準負荷トルクが越えることによってバックライト１０ｂを黄色表示（赤色ＬＥＤ及び緑色ＬＥＤ：ＯＮ、青色ＬＥＤ：ＯＦＦ）するとともに（図２（ｅ））、ブザー８を連続出力する。
【００５７】
なお、上記範囲における液晶表示部１０の全体的な表示色及び点灯パターン、あるいはブザー８の出力テンポの設定も一例に過ぎず、これに限定されるものではない。また、上記範囲において、バックライト１０ｂによる液晶表示部１０の全体的な表示色と点灯パターンを変化させるとともに、ブザー８の出力テンポを変化させたが、バックライト１０ｂによる液晶表示部１０の全体的な表示色と点灯パターン、及びブザー８の出力テンポのうち、いずれか１つを、あるいはいずれかのうち複数を組み合わせて、変化させてもよい。
【００５８】
また、ブザー８の出力音が煩わしい場合もあるので、ブザー８の断続的な出力音に替えて、バックライト１０ｂの色調を変化させることなく同一色調のままで、バックライト１０ｂの点灯、消灯を断続的に行なうことでも、同等の効果を得ることができる。この点灯と消灯とを繰り返す周期を、広げたり縮めたりして切り替える、という表示パターンの変化によっても、術者は診療情報を概略把握することができ、利便性が向上する。
【００５９】
このように、モータ３ｂや切削工具２に作用する負荷トルクの変化について、バックライト１０ｂによる液晶表示部１０の全体的な表示色や点灯パターン及びブザー８の出力テンポを、上記表示プログラム及び点灯管理プログラムによって変化させて出力表示するとともに、モータ３ｂや切削工具２に作用する負荷トルク値をバーグラフ部２２の測定バー２２ｂの高さで詳細に表示するため、術者は、液晶表示部１０の表示を注視しなくても、液晶表示部１０が術者の視野に入るような配置にすることによって、バックライト１０ｂによる液晶表示部１０の全体的な表示色と点灯パターンの変化により、治療部位から目を離さなくても、モータ３ｂや切削工具２に作用する負荷トルクを大まかに確認することができる。したがって、過負荷によるモータの故障や切削工具の破切を防ぐことができ、治療を効率的に行うことができるようになる。
【００６０】
また、ブザー８の出力テンポを変化させることによって、液晶表示部１０が見えにくい状況下であっても、モータ３ｂや切削工具２に作用する負荷トルクの状態確認を補完することができる。これにより、歯科用ハンドピース１を用いる術者は治療により専念できるようになる。
【００６１】
さらにまた、液晶表示部１０の表示内容、つまりバーグラフ部２２の測定バー２２ｂの変化では、液晶表示部１０が視野の隅にある場合などでは、その表示内容が変化していることしか判別できないが、液晶表示部１０の全体的な表示色や点灯パターンの変化を伴うことによって、表示内容を詳細に確認する必要がない場合には、状態確認のための視線移動がほぼなくなり、治療に専念することができる。
【００６２】
また、液晶表示部１０の全体的な表示色や点灯パターンの変化を認識することや、さらには、基準負荷トルク値を越えた場合の液晶表示部１０の全体的な表示色や点灯パターンを認識することにより、詳細な数値での負荷トルク値をバーグラフ部２２の測定バー２２ｂで確認する機会を極力低減することができるため、歯科用ハンドピース１を用いる術者は治療にさらに専念することができる。
【００６３】
また、歯科用ハンドピース１のハンドピース本体５に液晶表示部１０を搭載しているため、例えば、装置本体から離れた場所にディスプレイが配置された診療装置の場合と比較して、液晶表示部１０の全体的な表示色や点灯パターンの変化を確実に認識できるとともに、液晶表示部１０を目視する際の患部からの視線の移動距離を少なくすることができる。したがって、患部と液晶表示部１０との間の視線の移動をすばやくでき、より確実に負荷トルクの変化を認識して、さらに安全且つ正確な診療を行うことができる。
【００６４】
なお、液晶表示部１０の全体的な表示色や点灯パターンの変化は、術者や患者の嗜好に応じて設定操作ボタン４によってＯＮ／ＯＦＦ選択できるように構成するとともに、ブザー８によるアラーム音の出力についても、騒がしい環境を嫌う術者や患者のために、設定操作ボタン４によってＯＮ／ＯＦＦ選択できるように構成している。
【００６５】
次に、歯科用ハンドピース１において、設定操作ボタン４を用いて、例えば機能を設定する設定モードにおける液晶表示部１０の表示態様について、図４とともに示す。なお、図４は歯科用ハンドピース１の液晶表示部１０の設定モードにおける表示態様の変化についての説明図を示している。
【００６６】
ＯＮ／ＯＦＦスイッチ９を操作してＯＮした直後の歯科用ハンドピース１は操作待機状態となり、図４（ａ）に示すように、液晶表示部１０には回転数（単位：ｒｐｍ（rotation per minute））及び設定負荷トルク（単位：Ｎ・ｃｍ）が上下２段に表示される待機状態画面３０を表示する。なお、この待機状態画面３０では、液晶表示部１０は、バックライト１０ｂによって白色表示（赤色ＬＥＤ、青色ＬＥＤ及び緑色ＬＥＤ：ＯＮ）となっている。そして、液晶表示部１０における左側には、切削工具２の回転方向（図４では正回転（Forward）を示す文字「Ｆ」と円形矢印）、バッテリ残量及び設定モード（図４ではモータ（Motor）用の設定であることを示す文字「Ｍ」）を表示している。
【００６７】
この待機状態で設定操作ボタン４の決定ボタン４ｃが押下操作されると、歯科用ハンドピース１は制御回路６によって、回転数などを設定する設定モードに移行し、液晶表示部１０に設定画面４０を表示する（図４（ｂ）参照）。
【００６８】
そして、設定モードに移行したことを報知するために、制御回路６はブザー８によってアラーム音を出力するとともに、バックライト１０ｂによって液晶表示部１０の全体的な表示色を変化させる。なお、本実施例においては表示プログラム及び点灯管理プログラムにより、白色表示から水色表示（赤色ＬＥＤ：ＯＦＦ、青色ＬＥＤ及び緑色ＬＥＤ：ＯＮ）に変化させる。また、併せてバックライト１０ｂを点滅させて設定モードへの移行を報知してもよい。
【００６９】
さらに、上記設定モード状態において、決定ボタン４ｃが長押し操作されると、普段あまり設定変更しないが、モータ３ｂの詳細な動作制御を行うためのモータ駆動装置３ｃの設定を行う詳細設定モードに移行し、液晶表示部１０に詳細設定画面４１を表示する（図４（ｃ）参照）。この詳細設定モードでは、例えば、オートトルクスローダウン機能（モータ３ｂや切削工具にかかる負荷が大きくなるにつれて、段階的に又はなだらかに、自動的に回転数を低下させていく機能）のＯＮ／ＯＦＦ切替を行うことができる。
【００７０】
この詳細設定モードへの移行を報知するために、制御回路６は、ブザー８によるアラーム音を出力するとともに、表示プログラム及び点灯管理プログラムによって、バックライト１０ｂを、上記設定モード状態における表示色から変化させる。本実施例においては、上記設定モード状態における水色表示から、バックライト１０ｂを詳細設定モードの緑色表示（赤色ＬＥＤ及び青色ＬＥＤ：ＯＦＦ、緑色ＬＥＤ：ＯＮ）に変化させる。
【００７１】
このように、設定モードに応じて、ブザー８によるアラーム音を出力するとともに、バックライト１０ｂによる液晶表示部１０の全体的な表示色を変化させることにより、術者は、現在の動作モードが何であるか、今、何を設定している状態なのかを、画面表示内容のみならず、液晶表示部１０の全体的な表示色によって判断できるようになり、機器の操作性を向上することができるとともに、誤操作を防止することができる。
【００７２】
なお、上記待機状態（図４（ａ））において、決定ボタン４ｃを長押し操作することで、上記設定モード（図４（ｂ））を経由せずに上記詳細設定モード（図４（ｃ））に直接移行することもでき、その場合においても、上記詳細設定モードに移行したことを報知するブザー８によるアラーム音の出力及びバックライト１０ｂによって液晶表示部１０の全体的な表示色を緑色に変化させる。
【００７３】
このような待機状態からの直接詳細設定モードへの移行と、待機状態から設定モードを経由した詳細設定モードへの移行とにおいて、表示色の変化やブザー８によるアラーム音の出力を異なる設定としてもよい。このようにすることにより、設定操作する術者に、設定モードを経由した詳細設定モードへの移行か、直接の詳細モードへの移行かを正確に報知することができる。
【００７４】
また、上記説明では、決定ボタン４ｃを長押し操作して詳細設定モードへの移行することについて説明したが、詳細設定モードへ移行するための決定ボタン４ｃの操作は上記長押し操作に限定されず、例えば、短い間隔で決定ボタン４ｃを複数回押下する連続押下操作等の操作によって詳細設定モードに移行するよう構成してもよい。
【実施例２】
【００７５】
次に、根管長測定器１００の表示部１１０の表示態様の変化について、図５〜７とともに説明する。  
図５は根管長測定器１００の斜視図を示し、図６は根管長測定器１００のブロック図を示し、図７は根管長測定器１００の表示部１１０の表示態様の変化についての説明図を示している。
【００７６】
歯３００（図７）の根管３０１（図７）の歯槽骨側先端である根尖孔３０１ａの位置を電流値や電圧値によって測定する根管長測定器１００は、側面視略Ｔ字形状の装置本体１００ａと、装置本体１００ａに接続されたファイル電極コード１０３及び口腔電極コード１０４とで構成している。
【００７７】
ファイル電極コード１０３は、ファイルやリーマなど切削工具１０２の通電可能な装着を許容するファイル電極１０３ａを先端に備え、コード１０３ｂによって後述の制御回路１０６に接続されている。
【００７８】
ファイル電極１０３ａに装着する切削工具１０２は、患者の歯３００の根管３０１に挿入する切削部１０２ａと、切削部１０２ａの上部に配置し、術者が回転させる際に把持する樹脂性のハンドル１０２ｂと、リーマ部１０２ａに対して上下方向の位置をずらすことのできるラバーストッパー１０２ｃとで構成している。
【００７９】
口腔電極コード１０４は、患者の口角部に引っかけるフック状の口腔電極１０４ａを先端に有し、コード１０４ｂによって後述の制御回路１０６に接続されている。
【００８０】
装置本体１００ａは、正面上部に液晶表示部１１０を備え、その下方に、操作ボタン１０５（１０５ａ、１０５ｂ、１０５ｃ）及びＯＮ／ＯＦＦスイッチ１０９を備えている。  
操作ボタン１０５のうちＭＯＤＥボタン１０５ａは、モードを変更させるボタンである。
【００８１】
操作ボタン１０５のうちＳＥＬＥＣＴボタン１０５ｂは、機能選択、例えば目標位置の選択やブザー音量の選択のように、所望の選択項目を選択するボタンである。  
操作ボタン１０５のうちＳＥＴボタン１０５ｃは、ＳＥＬＥＣＴボタン１０５ｂによる選択を決定し、設定するボタンである。
【００８２】
ＯＮ／ＯＦＦスイッチ１０９は、根管長測定器１００の主電源のＯＮ／ＯＦＦを切替えるボタンである。なお、各操作ボタン１０５の全てを備える必要は必ずしもなく、操作ボタン１０５のうちいずれを備えるかは、適宜選択される設計事項である。
【００８３】
液晶表示部１１０は、上述の液晶表示部１０と同様に、ＬＣＤ１１０ａと、赤色ＬＥＤ、青色ＬＥＤ及び緑色ＬＥＤの３色の発光体で構成するバックライト１１０ｂとで構成している。  
さらに、装置本体１００ａは、バッテリ１０７と、ブザー１０８と、制御回路１０６とを内蔵している。
【００８４】
バッテリ１０７は、根管長測定器１００を駆動させるための蓄電池で構成するバッテリであり、充電可能、且つ交換可能に構成している。なお、根管長測定器１００を駆動させるための電源として、乾電池を用いてもよいし、外部の電源から電力の供給を受ける受電ケーブルを用いてもよい。
【００８５】
ブザー１０８は、制御回路１０６の制御に基づいて、所望の音程や所定の出力テンポでアラーム音を鳴らすブザーであるが、これに限定されず、バイブレータを駆動させた場合の振動音をアラーム音の代替として用いてもよい。
【００８６】
制御回路１０６は、ＣＰＵとＲＯＭとＲＡＭで構成される制御回路であり、根管長測定器１００を用いた根管長測定に必要な根管長測定回路を有するとともに、根管長測定器１００を用いた根管長測定に必要な各種プログラム及びデータを格納している。
【００８７】
例えば、制御回路１０６には、表示プログラム、根管長測定プログラム、設定プログラム、バッテリ残量検出プログラム、ブザー制御プログラム、或いは、点灯管理プログラムなどを格納している。
【００８８】
詳しくは、上記表示プログラムは液晶表示部１１０の表示態様を制御するプログラムであり、根管長測定値等を根管長バーにドット表示したり、バッテリ残量や設定されたアラーム音量を表示したりするプログラムである。
【００８９】
より具体的には、上記表示プログラムは、液晶表示部１１０のバックライト１１０ｂの点灯状態を制御する制御プログラムであり、根管長測定プログラムによって測定された根管長、バッテリ残量検出プログラムによって検出されたバッテリ残量、ブザー１０８の音量設定状態等に応じて、上記点灯管理プログラムで管理する表示態様に応じた表示色や点灯パターンを表示制御するプログラムである。
【００９０】
上記根管長測定プログラムは、根管長測定回路によって検出された電流値等から根管長（正確には測定電極である切削工具１０２の先端位置）を測定するプログラムであり、上記設定プログラムは操作ボタン１０５によって設定された設定を反映させるためのプログラムであり、上記バッテリ残量検出プログラムはバッテリ１０７のバッテリ残量を検出するプログラムである。
【００９１】
さらにまた、上記ブザー制御プログラムはブザー１０８を作動制御するプログラムであり、上記点灯管理プログラムは測定状態あるいは設定状態に応じた表示態様、具体的にはバックライト１１０ｂの点灯制御を関連付けて管理するプログラムである。  
また、根管長測定器１００を用い測定に必要な各種データとして、測定対象と測定した根管長データとを関連づけて制御回路１０６に格納している。
【００９２】
このように構成された根管長測定器１００において、上述のファイル電極コード１０３、口腔電極コード１０４、操作ボタン１０５、バッテリ１０７、ブザー１０８、ＯＮ／ＯＦＦスイッチ１０９及び液晶表示部１１０は、制御回路１０６に接続され、制御回路１０６の制御によって、電流が流され、あるいは作動する構成である。
【００９３】
このように構成した根管長測定器１００において、根管長測定器１００を用いた根管長測定に応じて液晶表示部１１０の表示態様を変化させる表示変化について説明する。  
根管長測定器１００を用いた根管長測定中において、液晶表示部１１０には、図８（ａ）に示すように、根管長測定状態についての測定画面２００を表示している。
【００９４】
測定画面２００は、画面中央に略湾曲状に示された根管長バー表示部２１０と、根管長バー表示部２１０の正面視左下側で数値を表示する測定値表示部２２０と、画面右上のバッテリ残量表示部２３０と、アラーム音量表示部２４０とを表示している。
【００９５】
バッテリ残量表示部２３０は、上記バッテリ残量検出プログラムで検出されたバッテリ１０７の残量をバーグラフで表示している。  
アラーム音量表示部２４０は、設定されたブザー１０８によるアラーム音の音量を表示している。
【００９６】
根管長バー表示部２１０は、根管長測定プログラムで測定した根管長を略水平な複数のバーのドット表示によって表示するものであり、その左側に３、２及び１の目盛りとＡＰＥＸが表示されている。  
なお、ＡＰＥＸは切削部１０２ａの先端が根尖孔３０１ａに達したとき、根管長バー表示部２１０のドットがＡＰＥＸの位置まで点灯することを示している。また、上記目盛り及び測定値表示部２２０で表示される測定値は、根尖孔３０１ａから切削部１０２ａの先端までの距離、つまり長さを示すものでなく、根尖孔３０１ａから根管３０１上端までの根管全長に対する切削部１０２ａの先端の位置を概略比で示している。  
また、根管長バー表示部２１０には、根管長測定の目安として設定するアピカルドット２１０ａを表示している。
【００９７】
そして、根管長測定器１００は、根管長バー表示部２１０及び測定値表示部２２０で根管長測定プログラムによって測定した根管長を表示するとともに、測定された根管長に応じてバックライト１１０ｂによる液晶表示部１１０全体の表示色や点灯パターンが変化するよう構成している。さらには、測定した根管長に応じてブザー１０８からアラーム音を出力して報知するよう構成している。
【００９８】
これにより、根管長測定器１００は、根管長バー表示部２１０及び測定値表示部２２０によって測定した根管長の詳細な変化を表示し、またバックライト１１０ｂによる液晶表示部１１０全体の表示色や点灯パターン、及びブザー１０８によるアラーム音の出力テンポの変化によって、大まかな測定根管長の変化を出力することとなる。
【００９９】
具体的には、測定根管長について目盛り値「１．０」までを第１レベルとし、「１．０」から「ＡＰＥＸ」までの範囲を第２レベルとし、「ＡＰＥＸ」の範囲を第３レベルとして制御回路１０６に予め格納する。さらには、根管長測定の目安値として「０．５」をアピカルドット２１０ａに設定する。なお、上記数値は、あくまでも一例に過ぎず、この数値に限定されるものではなく、適宜設定すればよい。
【０１００】
そして、上記表示プログラム及び点灯管理プログラムによって、切削部１０２ａの先端が図７（ｅ）に示すような位置であり、測定根管長が「１．０」までとなる第１レベルではバックライト１１０ｂを、赤色ＬＥＤ、青色ＬＥＤ及び緑色ＬＥＤの発光体のＯＮ／ＯＦＦを切替えて、水色（赤色ＬＥＤ：ＯＦＦ、青色ＬＥＤ及び緑色ＬＥＤ：ＯＮ）のゆっくりした点滅表示させるとともに、ブザー１０８をゆっくりしたテンポで出力する。  
なお、図７は、白黒でしか図示できないため、バックライト１１０ｂによる液晶表示部１１０全体の表示色の変化をハッチング密度で図示している。
【０１０１】
そのまま、リーマ部１０２ａを挿入し、リーマ部１０２ａの先端が図７（ｆ）に示すような位置であり、測定根管長が「１．０」から「ＡＰＥＸ」までとなる第２レベルではバックライト１１０ｂを緑色（赤色ＬＥＤ及び青色ＬＥＤ：ＯＦＦ、緑色ＬＥＤ：ＯＮ）の比較的速い点滅表示させるとともに、ブザー１０８を第１レベルでのテンポより速めた普通のテンポで出力する制御を実行する。
【０１０２】
さらに、リーマ部１０２ａを挿入し、リーマ部１０２ａの先端が図７（ｇ）に示すような位置であり、第２レベルの範囲ではあるものの、アピカルドット２１０ａで示す根管長測定の目安値である「０．５」を越えた場合、黄色表示（赤色ＬＥＤ及び緑色ＬＥＤ：ＯＮ、青色ＬＥＤ：ＯＦＦ）するとともに、ブザー１０８を第２レベルでのテンポよりさらに速めた早いテンポで出力する制御を実行する。
【０１０３】
さらにまた、バックライト１１０ｂによる液晶表示部１１０全体の表示色や点灯パターンの変化及びブザー１０８のアラーム音の出力テンポの変化によって、根管長測定の目安値を越えたことを認識した術者によって慎重に切削部１０２ａをさらに挿入し、切削部１０２ａの先端が図７（ｈ）に示すような根尖孔３０１ａに達した第３レベルではバックライト１１０ｂを紫色（赤色ＬＥＤ及び青色ＬＥＤ：ＯＮ、緑色ＬＥＤ：ＯＦＦ）の連続点灯表示するとともに、ブザー１０８を連続出力する。
【０１０４】
このように、根管長測定器１００は、リーマ部１０２ａの先端位置が根尖孔３０１ａ（ＡＰＥＸ）に近づくにつれて、バックライト１１０ｂによる液晶表示部１１０全体の表示色又は点灯パターンが変化するとともに、ブザー１０８のアラーム音の出力が変化するため、術者は、液晶表示部１１０の表示を注視しなくても、視界のどこかに液晶表示部１１０が入るよう根管長測定器１００を配置するだけで、治療部位から目を離さなくても、リーマ部１０２ａの先端位置が根尖孔３０１ａ（ＡＰＥＸ）に近づいている、あるいは根尖孔３０１ａ（ＡＰＥＸ）に達したことを感覚的に認識することができる。
【０１０５】
したがって、リーマ部１０２ａが根尖孔３０１ａを突き抜けて歯肉に侵入する可能性を軽減することができ、予後のよい治療を行うことができる。  
なお、液晶表示部１１０全体の表示色や点灯パターンの変化は、術者や患者の嗜好に応じて操作ボタン１０５によってＯＮ／ＯＦＦ選択できるように構成するとともに、ブザー１０８によるアラーム音の出力についても、騒がしい環境を嫌う術者や患者のために、操作ボタン１０５によってＯＮ／ＯＦＦ選択できるように構成している。
【０１０６】
この発明の構成と、上述の実施形態との対応において、
この発明の診療に関する情報は、負荷トルク、設定モード及び測定根管長に対応し、
以下同様に、
診療手段は、切削工具２を装着したモータ駆動操作部３、及び根管長測定器１００における切削工具１０２を装着したファイル電極コード１０３及び口腔電極コード１０４に対応し、
表示部は、駆動トルク画面２０、設定画面４０、詳細設定画面４１及び測定画面２００に対応し、
表示手段及び液晶ディスプレイは、液晶表示部１０，１１０に対応し、
表示制御部は、制御回路６，１０６で実行制御する表示プログラム及び点灯管理プログラムに対応し、
診療装置及びコードレス機器は、歯科用ハンドピース１及び根管長測定器１００に対応し、
表示態様変化手段は、表示プログラム及び点灯管理プログラムを実行制御する制御回路６，１０６に対応し、
変化停止手段は、設定操作ボタン４及び操作ボタン１０５に対応し、
聴覚的報知手段は、ブザー８，１０８に対応し、
充電池は、バッテリ７，１０７に対応するも、
この発明は、上述の実施形態の構成のみに限定されるものではなく、多くの実施の形態を得ることができる。
【０１０７】
例えば、表示手段で表示されるバーグラフや文字やイラスト、及びそれらの配置については、顧客の要望や設計の容易性などに応じて、適宜種々のものが採用可能である。また、診療に関する情報として、上記負荷トルク、設定モード及び測定根管長に限定されず、歯周ポケットの深さ測定データ、切削治療用マイクロモータの回転数、光照射器の動作時間や残り動作時間、診療装置の電池残量、診療装置の動作モードであってもよい。
【０１０８】
また、ブザー８，１０８による報知において、上記説明においてはアラーム音の出力テンポを変化させたが、音程を連続的に変化させて報知してもよい。
【符号の説明】
【０１０９】
１…歯科用ハンドピース
２，１０２…切削工具
３…モータ駆動操作部
４…設定操作ボタン
６，１０６…制御回路
７，１０７…バッテリ
８，１０８…ブザー
１０，１１０…液晶表示部
１０ｂ，１１０ｂ…バックライト
２０…駆動トルク画面
４０…設定画面
４１…詳細設定画面
１００…根管長測定器
１０３…ファイル電極コード
１０４…口腔電極コード
１０５…操作ボタン
２００…測定画面
【図１】
2011135950.tif 000004
【図２】
2011135950.tif 000005
【図３】
2011135950.tif 000006
【図４】
2011135950.tif 000007
【図５】
2011135950.tif 000008
【図６】
2011135950.tif 000009
【図７】
2011135950.tif 000010